【事件の表示】
　特許第３１０４０４４号「パチンコ機」の請求項１に係る特許に対する特許異議の申立てについて、次のとおり決定する。
【結　論】
　訂正を認める。
　特許第３１０４０４４号の請求項１に係る特許を取り消す。
【理　由】
１．手続の経緯
　本件特許第３１０４０４４号の請求項１に係る発明は、平成４年１月３１日に特許出願され、平成１２年９月１日にその発明について特許権の設定登録がなされた後、その特許について、平成１３年５月１日に細江裕実より特許異議の申立てがなされ、取消しの理由を通知したところ平成１４年９月１７日訂正請求がなされたものである。
　
２．訂正の請求について
２-1．訂正の内容
　特許権者が求めている訂正の内容は、特許明細書を上記手続補正で補正された訂正明細書のとおりに訂正しようとするものである（下線部が訂正個所である）。
（ａ）特許請求の範囲の【請求項１】に記載された「遊技者が弾発した打球が流下する遊技部に、複数の図柄を可変表示可能な特別図柄表示装置と、この特別図柄表示装置の可変表示を開始させる始動手段と、特別図柄表示装置が停止表示する図柄の表示態様に基づいて、遊技者に不利な第１状態と遊技者に有利な第２状態とに変換可能な変動入賞装置とを備えるパチンコ機において、
　上記始動手段を、打球の流入が困難な閉成状態と打球の流入が容易な開成状態とに変換可能な普通電動役物と、この普通電動役物を開成させるための特定口とで構成し、上記遊技部のほゞ中央鉛直線に沿って、上方から特別図柄表示装置、普通電動役物、特定口、変動入賞装置の順で配設したことを特徴とするパチンコ機。」を、「遊技者が弾発した打球が流下する遊技部に、複数の図柄を可変表示可能な特別図柄表示装置と、この特別図柄表示装置の可変表示を開始させる始動手段と、特別図柄表示装置が停止表示する図柄の表示態様に基づいて、遊技者に不利な第１状態と遊技者に有利な第２状態とに変換可能な変動入賞装置とを備えるパチンコ機において、
　上記始動手段を、打球の流入が困難な閉成状態と打球の流入が容易な開成状態とに変換可能な普通電動役物と、この普通電動役物を開成させるための特定口とで構成し、
上記特定口と上記変動入賞装置とを一体に形成し、
（ｂ）特許明細書の段落【０００４】（特許公報３欄３８〜４３行）に記載された「上記始動手段を、打球の流入が困難な閉成状態と打球の流入が容易な開成状態とに変換可能な普通電動役物と、この普通電動役物を開成させるための特定口とで構成し、上記遊技部のほゞ中央鉛直線に沿って、上方から特別図柄表示装置、普通電動役物、特定口、変動入賞装置の順で配設した」を、「上記始動手段を、打球の流入が困難な閉成状態と打球の流入が容易な開成状態とに変換可能な普通電動役物と、この普通電動役物を開成させるための特定口とで構成し、
上記特定口と上記変動入賞装置とを一体に形成し、
（ｃ）特許明細書の段落【００３０】（特許公報８欄２９〜３５行）に記載された「特別図柄表示装置の変動表示を開始させる始動手段を、打球の流入が困難な閉成状態と打球の流入が容易な開成状態とに変換可能な普通電動役物と、この普通電動役物を開成させるための特定口とで構成し、遊技部のほゞ中央鉛直線に沿って、上方から特別図柄表示装置、普通電動役物、特定口、変動入賞装置の順で配設した」を、「特別図柄表示装置の変動表示を開始させる始動手段を、打球の流入が困難な閉成状態と打球の流入が容易な開成状態とに変換可能な普通電動役物と、この普通電動役物を開成させるための特定口とで構成し、
上記特定口と上記変動入賞装置とを一体に形成し、
２-2．訂正の適否
　上記（ａ）の訂正は、特許請求の範囲の記載において、「特定口と変動入賞装置とを一体に形成」する構成をさらに付加するものであるから、特許請求の範囲の減縮を目的とするものに該当する。
　また、（ｂ）及び（ｃ）の訂正は、発明の詳細な説明の記載を訂正後の特許請求の範囲の記載と整合させるためのものであるから、明りょうでない記載の釈明を目的とするものに該当する。
　そして、特許請求の範囲の記載を訂正する、上記（ａ）訂正の構成は特許明細書の段落【００１９】及び【００２０】に記載されているので、上記（ａ）ないし（ｃ）の訂正は、願書に添付した明細書又は図面に記載した事項の範囲内においてするものであって新規事項を追加するものでなく、かつ、実質上特許請求の範囲を拡張し、又は変更するものではない。
　
２-3．むすび
　以上のとおりであるから、上記訂正は特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書及び第２項の規定に適合するので、当該訂正を認める。
　
３．特許異議申立てについて
３-1．本件発明
　上記「２．訂正請求について」で示したように上記訂正が認められるから、本件特許第３１０４０４４号の請求項１に係る発明（以下、「本件発明」という）は、訂正後の特許明細書における特許請求の範囲に記載されたとおりの、
　「遊技者が弾発した打球が流下する遊技部に、複数の図柄を可変表示可能な特別図柄表示装置と、この特別図柄表示装置の可変表示を開始させる始動手段と、特別図柄表示装置が停止表示する図柄の表示態様に基づいて、遊技者に不利な第１状態と遊技者に有利な第２状態とに変換可能な変動入賞装置とを備えるパチンコ機において、
　上記始動手段を、打球の流入が困難な閉成状態と打球の流入が容易な開成状態とに変換可能な普通電動役物と、この普通電動役物を開成させるための特定口とで構成し、上記特定口と上記変動入賞装置とを一体に形成し、上記遊技部のほゞ中央鉛直線に沿って、上方から特別図柄表示装置、普通電動役物、特定口、変動入賞装置の順で配設したことを特徴とするパチンコ機。」
である。
　
３-2．引用刊行物記載の発明
（ａ）取消しの理由で引用した「月刊パチンコ必勝ガイド１９９１．１２月号」（１９９１年１２月１日　白夜書房　発行）２７〜３１頁，３６〜３７頁（以下、「引用刊行物１」という）には、
（ａ-1）「パコパコ開く電チユーは以外と面白い。もっと回ってくれたらねぇ…」（２８頁１段写真の左の説明）、
（ａ-2）「パラダイス３では、デジタルのすぐ下にある「ＧＯ」は電チユー始動のための通過チャッカーでしかない。直接デジタルを回す役割は持っていないのだ。本物のデジタル始動チャッカーはさらにその下の電チューなのである。」（２８頁２段３〜１７行）と記載されている。
（ａ-3）第２７頁左の写真において、「３３３」と表示されている装置がデジタルであり、複数の数字（図柄）が可変表示するものであり、「START」と表示されている装置が電チユーであり、「DYNAMITE　OPEN」と表示されている装置が、デジタルが停止表示する数字（図柄）の表示態様に基づいて、遊技者に不利な第１状態と遊技者に有利な第２状態とに変換可能な変動入賞装置であることは当業者にとって明らかなことである。
　そして、上記記載において「電チユー」は「電動チューリップ」のことであるから、上記記載及び写真によると、引用刊行物１には、
　遊技者が弾発した打球が流下する遊技部に、複数の図柄を可変表示可能なデジタルと、このデジタルの可変表示を開始させる電動チューリップと、デジタルが停止表示する図柄の表示態様に基づいて、遊技者に不利な第１状態と遊技者に有利な第２状態とに変換可能な変動入賞装置とを備えるパチンコ機において、電動チューリップは、打球が通過チャッカーを通過することにより始動し、上記遊技部のほゞ中央鉛直線に沿って、上方からデジタル、通過チャッカー、電動チューリップ、変動入賞装置の順で配設したパチンコ機（以下、「引用刊行物１の発明」という）が記載されていると認められる。
（ｂ）同じく取消しの理由で引用した特開平２−１０４３７７号公報（以下、「引用刊行物２」という）には、
（ｂ-1）「遊技盤面２ａの第２中央入球口７９の両側方及び下方には遊技球の通過を検出して各第１図柄表示体６６の変動表示を開始させる変動開始信号を出力するための表示体作動スイッチ８２〜８２がそれぞれ取付けられ、この３つの表示体作動スイッチ８２の若干上方には遊技球を通過させる第１通過口８３〜８３がそれぞれ開口されている。・・・
　遊技球が表示体作動スイッチ８２の第１通過口８３内を通過したときにはその通過を検出した表示体作動スイッチ８２の変動開始信号によって各第１図柄表示体６６が・・・変動表示を開始し、・・・
　そして、３つの第１図柄表示体６６が変動表示を停止したときに各第１図柄表示体６６が表示する数字の組合せが０００，１１１，・・・，８８８，９９９のいずれかとなった場合には中央制御基板５の指令によって下ソレノイド７７が作動して両下チューリップ体７８がそれぞれ外方へ揺動し、第２中央入球口７９が開放される。」（７頁左下欄３行〜８頁左上欄４行）と記載されている。
（ｂ-2）第１図には、チューリップ体７８の下方に第１通過口８３を配置することが記載されている。
（ｃ）同じく取消しの理由で引用した特開平２−９８３７９号公報（以下、「引用刊行物３」という）には、
（ｃ-1）「遊技盤面２ａの第２中央入球口７９の両側方及び下方には遊技球の通過を検出して各第１図柄表示体６６の変動表示を開始させる変動開始信号を出力するための表示体作動スイッチ８２〜８２がそれぞれ取付けられ、各表示体作動スイッチ８２の若干上方には遊技球を通過させる第１通過口８３〜８３がそれぞれ開口されている。・・・
　遊技球が表示体作動スイッチ８２の第１通過口８３内を通過したときにはその通過を検出した表示体作動スイッチ８２の変動開始信号によって各第１図柄表示体６６が・・・変動表示を開始し、・・・
　そして、３つの第１図柄表示体６６が変動表示を停止したときに各第１図柄表示体６６が表示する数字の組合せが０００，１１１，・・・，８８８，９９９のいずれかとなった場合には中央制御基板５の指令によって下ソレノイド７７が作動して両下チューリップ体７８がそれぞれ外方へ揺動し、第２中央入球口７９が開放される。」（７頁左下欄１５行〜８頁左上欄１６行）と記載されている。
（ｃ-2）第１図には、チューリップ体７８の下方に第１通過口８３を配置することが記載されている。
（ｄ）特開昭６４−６８２８９号公報（以下、「刊行物４」という）には、
　「第４図は、前記可変入賞球装置５２を示す全体正面図である。
　可変入賞球装置５２は、プレート状の取付基板１００により遊技盤３８の盤面上に取付可能に構成されている。この取付基板１００の上方部分には、矩形に切抜かれた開口部１０２が形成されており、この開口部１０２を閉塞可能な開閉板５４がその下縁を回動中心として枢支されており、前記ソレノイド１０８（第２図参照）の駆動力により、開口部１０２を閉塞した閉成状態と開口部１０２を開放した開成状態とに開閉板５４が切換えられるよう構成されている。
・・・図中、５６ａ，５６ｂは通常の入賞口であり、ランプカバー１３４の上方部分により形成されている。・・・なお、図中５０は始動入賞口である。」（５頁右下欄１７行〜６頁右上欄１１行）と記載されており、刊行物４には、「電動役物を開成させるための特定口」ではないものの、所定の入賞口を変動入賞装置と一体に形成した構成が開示されいる。
（ｅ）特開平３−１４１９６３号公報（以下、「刊行物５」という）には、
　「第１入賞装置２はプラスチックからなるケーシング５で形成されており、その上部には天入賞口６、左右天肩飛込入賞口７，８が設けられ、その下部には左右飛込入賞口９，１０が設けられている。・・・
　第１入賞装置２のケーシング５中央、すなわち天入賞口６、左右肩飛込入賞口７，８と左右飛込入賞口９，１０との間には、大入賞口１１が開口されており、その大入賞口１１に対応して大入賞口１１の開口縁部両端にはセンターゲート１２が開閉可能に支持されている。このセンターゲート１２は案内板部１２ａと側板部１２ｂ，１２ｂとからなる。」（２頁左下欄１５行〜同頁右下欄１４行）と記載されており、刊行物５には、天入賞口６等の複数の入賞口と、大入賞口１１が一体に形成した構成が開示されている。
　
３-3．対比・判断
　本件発明と引用刊行物１の発明とを対比すると、引用刊行物１の発明の「デジタル」及び「通過チャッカー」が、本件発明の「特別図柄表示装置」及び「特定口」に対応し、また、引用刊行物１の発明の「電動チューリップ」は、閉じているときは打球の流入が困難であり、打球が通過チャッカーを通過することにより開いて打球の流入が容易になるから、本件発明の「普通電動役物」に対応する。
　そうすると、本件発明と引用刊行物１の発明とは、
　遊技者が弾発した打球が流下する遊技部に、複数の図柄を可変表示可能な特別図柄表示装置と、この特別図柄表示装置の可変表示を開始させる始動手段と、特別図柄表示装置が停止表示する図柄の表示態様に基づいて、遊技者に不利な第１状態と遊技者に有利な第２状態とに変換可能な変動入賞装置とを備えるパチンコ機において、
　上記始動手段を、打球の流入が困難な閉成状態と打球の流入が容易な開成状態とに変換可能な普通電動役物と、この普通電動役物を開成させるための特定口とで構成し、上記遊技部のほゞ中央鉛直線に沿って、特別図柄表示装置、普通電動役物、特定口、変動入賞装置を配設したパチンコ機で一致し、
　本件発明が、「上方から特別図柄表示装置、普通電動役物、特定口、変動入賞装置の順で配設し」、「上記特定口と上記変動入賞装置とを一体に形成し」ているのに対し、引用刊行物１の発明は、上方から特別図柄表示装置（デジタル）、特定口（通過チャッカー）、普通電動役物（電動チューリップ）、変動入賞装置の順で配設している点、
で構成が相違する。
　上記相違点について検討する。
　電動役物であるチューリップ体７８を開放させるための起因となる、第１通過口８３を、チューリップ体７８の下方に設けることは引用刊行物２又３に記載されており、これからも分かるように、普通電動役物を開成させるための特定口をどの位置に設けるかは当業者が適宜行う設計事項であり、しかも、近傍に位置する入賞装置等を一体に形成することは周知技術（例えば、上記刊行物４、５参照）であるから、引用刊行物１の発明において、特定口（通過チャッカー）を普通電動役物（電動チューリップ）の下方に配置し、変動入賞装置と特定口（通過チャッカー）とを一体に形成することは当業者なら容易に想到できることである。
　そして、本件発明が奏する効果は、引用刊行物１ないし３に記載された発明及び周知技術から予測できる程度のことであって格別顕著なものではない。
　したがって、本件発明は、引用刊行物１ないし３に記載された発明及び周知技術に基いて当業者が容易に発明をすることができたものと認められる。
　
３-4．むすび
　以上のとおりであるから、本件発明は、特許法第２９条第２項の規定により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年３月２０日（２００３．３．２０）
【訂正の要旨】
▲１▼訂正事項ａ
　特許請求の範囲に係る記載、
「【請求項１】　遊技者が弾発した打球が流下する遊技部に、複数の図柄を可変表示可能な特別図柄表示装置と、この特別図柄表示装置の可変表示を開始させる始動手段と、特別図柄表示装置が停止表示する図柄の表示態様に基づいて、遊技者に不利な第１状態と遊技者に有利な第２状態とに変換可能な変動入賞装置とを備えるパチンコ機において、
　上記始動手段を、打球の流入が困難な閉成状態と打球の流入が容易な開成状態とに変換可能な普通電動役物と、この普通電動役物を開成させるための特定口とで構成し、上記遊技部のほゞ中央鉛直線に沿って、上方から特別図柄表示装置、普通電動役物、特定口、変動入賞装置の順で配設したことを特徴とするパチンコ機。」を、
　特許請求の範囲の減縮を目的として、
「【請求項１】　遊技者が弾発した打球が流下する遊技部に、複数の図柄を可変表示可能な特別図柄表示装置と、この特別図柄表示装置の可変表示を開始させる始動手段と、特別図柄表示装置が停止表示する図柄の表示態様に基づいて、遊技者に不利な第１状態と遊技者に有利な第２状態とに変換可能な変動入賞装置とを備えるパチンコ機において、
　上記始動手段を、打球の流入が困難な閉成状態と打球の流入が容易な開成状態とに変換可能な普通電動役物と、この普通電動役物を開成させるための特定口とで構成し、
上記特定口と上記変動入賞装置とを一体に形成し、
と訂正する。
▲２▼訂正事項ｂ
　明細書の【０００４】の項、
「【課題を解決するための手段】
　本発明は上記目的を達成するために提案されたもので、遊技者が弾発した打球が流下する遊技部に、複数の図柄を可変表示可能な特別図柄表示装置と、この特別図柄表示装置の可変表示を開始させる始動手段と、特別図柄表示装置が停止表示する図柄の表示態様に基づいて、遊技者に不利な第１状態と遊技者に有利な第２状態とに変換可能な変動入賞装置とを備えるパチンコ機において、上記始動手段を、打球の流入が困難な閉成状態と球の流入が容易な開成状態とに変換可能な普通電動役物と、この普通電動役物を開成させるための特定口とで構成し、上記遊技部のほゞ中央鉛直線に沿って、上方から特別図柄表示装置、普通電動役物、特定口、変動入賞装置の順で配設したものである。」を、
　明りょうでない記載の釈明を目的として、
「【課題を解決するための手段】
　本発明は上記目的を達成するために提案されたもので、遊技者が弾発した打球が流下する遊技部に、複数の図柄を可変表示可能な特別図柄表示装置と、この特別図柄表示装置の可変表示を開始させる始動手段と、特別図柄表示装置が停止表示する図柄の表示態様に基づいて、遊技者に不利な第１状態と遊技者に有利な第２状態とに変換可能な変動入賞装置とを備えるパチンコ機において、上記始動手段を、打球の流入が困難な閉成状態と打球の流入が容易な開成状態とに変換可能な普通電動役物と、この普通電動役物を開成させるための特定口とで構成し、
上記特定口と上記変動入賞装置とを一体に形成し、
と訂正する。
▲３▼訂正事項ｃ
　明細書の【００３０】の項、
「【発明の効果】
　以上要するに本発明は、特別図柄表示装置の変動表示を開始させる始動手段を、打球の流入が困難な閉成状態と打球の流入が容易な開成状態とに変換可能な普通電動役物と、この普通電動役物を開成させるための特定口とで構成し、遊技部のほゞ中央鉛直線に沿って、上方から特別図柄表示装置、普通電動役物、特定口、変動入賞装置の順で配設したので、遊技者は打球を遊技部の中心に集めるように弾発すればよいので狙いが絞り易い。即ち、打球が普通電動役物に入球すれば、特別図柄表示装置が変動表示を開始して変動入賞装置を開放するチャンスを得られるし、普通電動役物に入球しなくても特定口を通過する可能性があり、特定口を通過すれば、普通電動役物を開成することができ、この普通電動役物は始動入賞口として機能しているので、特別図柄表示装置が変動表示を開始し易くなり、結局、変動入賞装置が開放するチャンスが高くなる。また、変動入賞装置が開放中に特定口を通過する球は、変動入賞装置に流入して入賞球となり、しかも普通電動役物が開成するので、更に多数の賞球獲得が可能となる。また、遊技店にとっては、遊技者に対するサービスが可能であると共に、釘調整等により特定口の入賞率を調整することができ、利益バランスを図り易いパチンコ機となる。更に、製造メーカーにとっては、製造時の加工や組付が簡単で製造の容易なパチンコ機を提供することができる。」を、
　明りょうでない記載の釈明を目的として、
「【発明の効果】
　以上要するに本発明は、特別図柄表示装置の変動表示を開始させる始動手段を、打球の流入が困難な閉成状態と打球の流入が容易な開成状態とに変換可能な普通電動役物と、この普通電動役物を開成させるための特定口とで構成し、
上記特定口と上記変動入賞装置とを一体に形成し、
と訂正する。
（５４）【発明の名称】
パチンコ機
（５７）【特許請求の範囲】
　【請求項１】　遊技者が弾発した打球が流下する遊技部に、複数の図柄を可変表示可能な特別図柄表示装置と、この特別図柄表示装置の可変表示を開始させる始動手段と、特別図柄表示装置が停止表示する図柄の表示態様に基づいて、遊技者に不利な第１状態と遊技者に有利な第２状態とに変換可能な変動入賞装置とを備えるパチンコ機において、
　上記始動手段を、打球の流入が困難な閉成状態と打球の流入が容易な開成状態とに変換可能な普通電動役物と、この普通電動役物を開成させるための特定口とで構成し、
上記特定口と上記変動入賞装置とを一体に形成し、
【発明の詳細な説明】
　【０００１】
　【産業上の利用分野】
　この発明は、遊技者が弾発した打球が流下する遊技部に、複数の図柄を可変表示可能な特別図柄表示装置と、この特別図柄表示装置の可変表示を開始させる始動手段と、特別図柄表示装置が停止表示する図柄の表示態様に基づいて、遊技者に不利な第１状態と遊技者に有利な第２状態とに変換可能な変動入賞装置とを備えるパチンコ機に関する。
　【０００２】
　【従来の技術】
　周知のように、遊技者が弾発した打球が流下する遊技部に、複数の図柄を可変表示可能な特別図柄表示装置と、この特別図柄表示装置の可変表示を開始させる始動手段と、特別図柄表示装置が停止表示する図柄の表示態様に基づいて、遊技者に不利な第１状態と遊技者に有利な第２状態とに変換可能な変動入賞装置とを備えるパチンコ機は従来から種々開発されている。例えば、特公平３−１０３５０号公報では、アウト口の上方に変動入賞装置を設け、この変動入賞装置の上方に特別図柄表示装置を設け、上記変動入賞装置と特別図柄表示装置との間に始動入賞口を配設している。従って、変動入賞装置の状態に拘らず、始動入賞口を狙って弾発すれば、始動入賞口へ入球する確率が高くなり、始動入賞口へ入球した打球により特別図柄表示装置が作動し、結果として変動入賞装置が遊技者に有利な第２状態に変換可能になる。そして、この変動入賞装置が第２状態に変換すると、始動入賞口を狙って弾発して当該始動入賞口へ入球しなかった打球の多くが変動入賞装置に入球することになり、遊技者は多くの賞球を獲得することが可能になる。
　【０００３】
　【発明が解決しようとする課題】
　しかしながら、この種のパチンコ機は、始動入賞口に入賞しなければ、特別図柄表示装置が作動しないし、変動入賞装置も開放しない。従って、この種のパチンコ機では、始動入賞口の入賞率がパチンコ遊技の勝敗を決定し、遊技者はこの始動入賞口を狙って弾発する。そこで、この始動入賞口の入賞率を高めれば、遊技者に対するサービス向上に繋がるが、無暗に入賞率を高くしたのでは、遊技者と遊技店との利益バランスが図れなくなる。
　本発明は、遊技者にとっては狙いが絞り易く且つ多数の賞球を獲得可能なパチンコ機を、遊技店にとっては遊技者に対するサービスが可能であると共に利益バランスを図り易いパチンコ機を、製造メーカーにとっては製造の容易なパチンコ機を提供することを目的とする。
　【０００４】
　【課題を解決するための手段】
　本発明は上記目的を達成するために提案されたもので、遊技者が弾発した打球が流下する遊技部に、複数の図柄を可変表示可能な特別図柄表示装置と、この特別図柄表示装置の可変表示を開始させる始動手段と、特別図柄表示装置が停止表示する図柄の表示態様に基づいて、遊技者に不利な第１状態と遊技者に有利な第２状態とに変換可能な変動入賞装置とを備えるパチンコ機において、上記始動手段を、打球の流入が困難な閉成状態と打球の流入が容易な開成状態とに変換可能な普通電動役物と、この普通電動役物を開成させるための特定口とで構成し、
上記特定口と上記変動入賞装置とを一体に形成し、
　【０００５】
　【作用】
　遊技盤のほゞ中央に縦に並んでいる始動入賞口として機能する普通電動役物、この普通電動役物を開成させる特定口、打球が極めて流入し易い状態に変換可能な変動入賞装置により、遊技者は遊技部のほゞ中央を狙って打球を発射すればよく、普通電動役物に流入しなくても、特定口を通過可能であり、この特定口を通過すれば、特別装置が作動して変動入賞装置の開放が可能になり、変動入賞装置が開放した状態では、特定口を通過した球が変動入賞装置へ流入し、遊技者に有利にゲームが展開する。
　【０００６】
　【実施例】
　以下本発明を図面の実施例について説明すると、図１はパチンコ機１の正面図であって、窓部を有した額縁状の前枠２の一側を外枠３に開閉可能に蝶着し、上記窓部には金枠４ａを設け、該金枠４ａの上方部分にはガラスを装着したガラス枠４ｂを開閉可能に軸着し、上記外枠３及びガラス枠４ｂを施錠装置５で施錠可能とする。また、ガラス枠４ｂの下方部分には上皿６を設けたフロントプレート７等からなる上受皿セット８を設け、前枠２の下方部分には下皿９を設けた下受皿セット１０を設ける。
　【０００７】
　上記前枠２の窓部には遊技盤１１を臨ませ、この遊技盤１１の表面側のガイドレール１２で囲まれる遊技部１３のほゞ中央鉛直線に沿って、複数の図柄を可変表示可能な特別図柄表示装置１４、遊技部１３を流下する球の流入が困難な閉成状態と流入が容易な開成状態とに変換可能な普通電動役物１５、この普通電動役物１５を開成させるための特定口１６、遊技者に不利な第１状態と遊技者に有利な第２状態とに変換可能な変動入賞装置１７、及びアウト口１８を上から順に配設する。また、上記特別図柄表示装置１４の左右側方には始動入賞口１９，１９が配設してあり、上記普通電動役物１５は始動入賞口１９′として機能する。そして、遊技部１３の適宜位置には、種々の一般入賞具２０…や表示灯２１…、風車２２ａ…，ランプ風車２２ｂ等を配設し、パチンコ機１の上縁部には外部表示灯２３を設けてある。
　【０００８】
　上記特別図柄表示装置１４は、複数の図柄を可変表示可能であれば、どのような構成のものであってもよい。例えば、周面に複数の図柄を描いた円筒体を駆動源の駆動により回転させる回転ドラム式の表示装置、多数の発光ダイオード等からなるマトリクス表示器、液晶表示器等により構成し、例えば３桁の図柄表示部１４ａ，１４ｂ，１４ｃを設ける。そして、各図柄表示部１４…における可変表示を、後述する始動手段の作動に基づいて開始させ、所定時間経過後に各図柄表示部１４…が停止表示する図柄の組合せ態様が所定の態様と一致するときに、変動入賞装置１７を遊技者に有利な第２状態に変換させるのである。
　【０００９】
　また、図示の特別図柄表示装置１４では、取付基板の上部中央に上方へ向けて開口する突出状の天入賞口２４を形成し、該天入賞口２４の下方には前方へ向けて開口する天下入賞口２５を形成すると共に、該天下入賞口２５の下縁に連なる横長な鎧部材２６を延設してある。尚、天下入賞口２５の上部は天入賞口部材２４′が覆っている。従って、遊技部１３の上方ほゞ中央に向けて弾発された打球は、天入賞口２４へ入球したり、鎧部材２６に誘導されて天下入賞口２５へ入球したり、或は鎧部材２６や周囲の障害釘に弾かれて特別図柄表示装置１４の側方を通って流下する。そこで、始動入賞口１９′として機能している普通電動役物１５を直接狙って弾発するすることは難しい。尚、特別図柄表示装置１４の鎧部材２６に変えて、障害部材を設けたり、障害釘の配置によって、普通電動役物１５を直接狙い難くするようにしてもよい。
　【００１０】
　始動手段の一部を構成している普通電動役物１５は、例えば一対の開閉翼片１５ａ，１５ａをソレノイド（図示せず）により駆動し、開閉翼片１５ａ，１５ａの間隔をほゞ球の直径程度に開いて起立し、球を上方からしか受け入れない第１状態と、開閉翼片１５ａを外側へ傾動させて打球を広範囲に亙って受け入れる第２状態とに変換可能な所謂電動チューリップからなる。そして、受け入れた打球が通過する球通路には、図示していないが始動スイッチが臨ませてある。
　【００１１】
　特定口１６は、上記普通電動役物１５のソレノイドを励磁して開閉翼片１５ａを開放する条件を創出するためのもので、通過する球を検出可能なように球検出器が臨む通過チャッカで構成してある。そして、図示の実施例においては、後述する変動入賞装置１７と一体に形成してある。
　【００１２】
　次に、遊技者に不利な第１状態と遊技者に有利な第２状態とに変換可能な変動入賞装置１７を説明すると、図２は一部を欠截した正面図、図３は裏カバー３０を外した状態の背面図、図４は裏カバー３０を止着した状態の一部欠截背面図、図５は中央縦断面図、図６は駆動機構を示す縦断面図である。
　【００１３】
　変動入賞装置１７は、遊技盤１１に取り付けるための取付基板３１を有し、この取付基板３１には大入賞口を形成する横長な開口部３２を設け、該開口部３２には開閉可能な開閉扉３３が下縁付近を横方向に軸着してある。
　【００１４】
　上記開口部３２の下方には、ランプ孔３４を開設し、取付基板３１の裏面側に止着したランプ基板３５のランプ３６を臨ませる。そして、ランプ３６の前面側には箱枠状のランプカバー３７を止着する。このランプカバー３７は透光性を有する例えば着色プラスチックを成型してなり、取付基板３１の適宜位置に開設した係合引３１ａに、ランプカバー３７に設けた係合爪を係合させることにより止着可能となっている。また、このランプカバー３７の位置決めは、取付基板３１の前面側に突設したガイドピン３８とランプカバー３７の裏面側に設けたガイド孔とを嵌合させて行っている。
　【００１５】
　取付基板３１の裏面側には、裏カバー３０を設けると共に開口部３２の下方に球受樋３９を設けて大入賞口４０を形成する。この大入賞口４０には、開口部３２のほゞ中央から大入賞口４０へ流入する球を検出する特別スイッチ４１と、大入賞口４０へ流入した全ての球を検出可能な１０カウントスイッチ４２とを設ける。尚、上記球受樋３９は、取付基板３１の裏面側に設けたガイドボス３１ｂに、球受樋３９に形成したガイド筒３９ａを嵌合させてある。また、裏カバー３０は、適宜位置に設けた位置決め用切欠部３０ａと、取付基板３１に設けた位置決め用爪３１ｃとを嵌合させて位置決めし、上記ガイドボス３１ｂ等にビスをねじ込んで止着する。
　【００１６】
　更に、裏カバー３０の背面側には、コネクタ基板４３を設けて、このコネクタ基板４３のコネクタ４３…を介して前記各スイッチ１６′，４１，４２やランプ３６、或は後述する開閉ソレノイド４４等を制御装置に接続する。尚、このコネクタ基板４３は、裏カバー３０に設けた位置決め兼取付ボスの上にビスで止着される。
　【００１７】
　開閉扉３３を開閉するための駆動機構は、駆動源として開閉ソレノイド４４を有している。この開閉ソレノイド４４のプランジャ４４ａには、当該プランジャ４４ａの摺動方向に対してほゞ４５度で交差する斜孔４５を有する作動板４６を止着し、この斜孔４５に裏カバー３０から延出する支持部３０ｂに軸着した揺動レバー４７の後端を遊嵌する。そして、揺動レバー４７の前端部に設けた長孔４７ａに、開閉扉３３の背面側に延設した連繋軸４８を遊嵌する。従って、開閉ソレノイド４４を励磁すると、プランジャ４４ａが牽引されて揺動レバー４７が前端を上向きに回動させ、開閉扉３３が支軸３３ａを支点にして前方へ傾動して開口部３２を開放する。このとき、開口部３２の下縁に設けたストッパー縁４９に、開閉扉３３の両端及び中央部に設けたストッパー片５０の端面が当接し、開閉扉３３の開放角度を規制すると共に流下する球の荷重が駆動機構や開閉ソレノイド４４に影響しないようになっている。
　【００１８】
　尚、図示の実施例における変動入賞装置１７は、開閉扉３３の左右側端部に球案内部材５１が設けてある。この球案内部材５１は、開閉扉３３の裏面側に緩い屋根型に形成してあり、開閉扉３３を開放した状態のとき、屋根型の傾斜面５１ａによって遊技部１３を流下する球を開口部３２へ誘導したり、外側へ弾いたりすることが可能である。また、この球案内部材５１に当接した球を付近の入賞口へ誘導するようにすることもできる。
　【００１９】
　上記のような変動入賞装置１７には、前記した普通電動役物１５のソレノイドを励磁して開閉翼片１５ａを開放するための条件を創出する特定口１６を並設する。この特定口１６は、開口部３２の上方に位置し、当該開口部３２の幅方向ほゞ中央に、取付基板３１から特定スイッチガイド５２を前後方向に延設し、この特定スイッチガイド５２内に特定スイッチとして機能する通過型の磁気的に球を検出する球検出器５３を装着して構成する。尚、上記特定スイッチガイド５２の前端部には飾り部材５４が設けてある。また、球検出器５３は、取付基板３１から延出する係止腕５５の先端に設けた係止爪５５ａを当該球検出器５３の後端面に係止させて止着してある。
　【００２０】
　このように、特定口１６を変動入賞装置１７と一体に形成すると、特定口１６を形成するための加工孔等を別個に設ける必要がないので、製作工程の簡素化が可能になり、製造者にとっても価値の高いパチンコ機１を提供できる。
　【００２１】
　次に上記のような構成のパチンコ機１の遊技を説明すると、このパチンコ機１では遊技者が弾発した打球が大入賞口４０である変動入賞装置１７に入賞すると入賞球１個につき１５個の賞球を払い出し、他の一般入賞具２０…や天入賞口２４，天下入賞口２５等に入賞した場合には入賞球１個につき７個の賞球を払い出すように設定してある。
　【００２２】
　そして、遊技者が弾発した打球が変動入賞装置１７の大入賞口４０の上方に設けた特定口１６を通過した場合には、この特定口１６の上方に設けた普通電動役物１５を例えば０．５秒間打球が流入し易いように開放する。尚、この普通電動役物１５が開放中に特定口１６を打球を通過しても更なる普通電動役物１５の開放は行わないように設定してある。また、これらの始動入賞口１９への入球は最高４個まで記憶可能になっており、図柄の変動表示停止後、或は大入賞口４０の開放動作終了後、新たに図柄の変動表示を開始する。
　【００２３】
　始動入賞口１９′として機能する普通電動役物１５、或は特別図柄表示装置１４の左右に配設した始動入賞口１９…に打球が入賞すると、特別図柄表示装置１４の各図柄表示部１４…における図柄の変動表示を開始する。尚、各図柄表示部１４…には例えば各々１５種類の図柄が表示可能である。そして、特別図柄表示装置１４が図柄の変動表示を開始してから約５秒経過すると、左図柄表示部１４ａ、中図柄表示部１４ｂ、右図柄表示部１４ｃの順に変動表示が停止する。尚、遊技者の外部操作により上記変動表示を停止するようにしてもよい。
　【００２４】
　そして、各図柄表示部１４…に停止表示する図柄が所定の組合せ態様となったときに「大当り」となり、変動入賞装置１７の大入賞口４０を約３０秒間開放する。即ち、変動入賞装置１７の開閉ソレノイド４４を約３０秒間励磁して駆動機構を介して開閉扉３３を前方に回動させる。尚、大入賞口４０に１０個の打球が流入すると、３０秒経過前であっても大入賞口４０は閉止する。
　【００２５】
　大入賞口４０が開放中に打球が特別スイッチ４１を通過すると、その回の開放動作を終了してから、新たに開放動作を開始する。尚、大入賞口４０が連続して開放する回数は、最初の開放を含めて１６回に設定してある。
　【００２６】
　そこで、大入賞口４０が開放している「大当り」中、遊技者は大入賞口４０である変動入賞装置１７を目掛けて弾発することになるが、特定口１６が大入賞口４０の真上にあり、打球が特定口１６を通過する確率が高くなるので、狙いを絞り易い。また、特定口１６を通過する球も当然大入賞口４０の入賞球になるし、特定口１６を通過することにより普通電動役物１５が開成するので、特別図柄表示装置１４も変動表示を開始し易くなって更に遊技者に有利にゲームが展開する。
　【００２７】
　また、始動入賞口１９′として機能する普通電動役物１５が特定口１６の上方に設けてあるので、普通電動役物１５を狙って弾発した球が当該普通電動役物１５を外れても、特定口１６を通過する可能性があるので、遊技性の富んだゲームが可能である。
　【００２８】
　尚、入賞球に対する賞球数は適宜設定可能であって、例えば、普通電動役物１５における入賞球に対して、通常は７個の賞球を払い出すが、大当り中は１５個の賞球を払い出すように切り換えてもよい。
　【００２９】
　以上本発明を図面の実施例について説明したが、本発明は上記した実施例に限定されるものではなく、特許請求の範囲に記載した構成を変更しない限り適宜に実施できる。例えば、上記した図示の実施例においては、特定口を変動入賞装置と一体に形成してあるが、特定口を変動入賞装置の上方に配置すれば別個に設けてもよい。また、始動入賞口を大入賞口の開閉扉の両側方に設けてもよい。
　【００３０】
　【発明の効果】
　以上要するに本発明は、特別図柄表示装置の変動表示を開始させる始動手段を、打球の流入が困難な閉成状態と打球の流入が容易な開成状態とに変換可能な普通電動役物と、この普通電動役物を開成させるための特定口とで構成し、
上記特定口と上記変動入賞装置とを一体に形成し、
【図面の簡単な説明】
　【図１】
　パチンコ機の正面図である。
　【図２】
　変動入賞装置の一部を欠截した正面図であり、片半に開閉扉の開放状態を、他半に閉止状態を示す。
　【図３】
　変動入賞装置の裏カバーを外した状態の背面図であり、片半に開閉扉の開放状態を、他半に閉止状態を示す。
　【図４】
　変動入賞装置の一部欠截背面図である。
　【図５】
　変動入賞装置の中央縦断面図である。
　【図６】
　変動入賞装置の駆動機構を示す縦断面図である。
　【符号の説明】
　　１　パチンコ機
　１３　遊技部
　１４　特別図柄表示装置
　１５　普通電動役物
　１６　特定口
　１７　変動入賞装置
　１８　アウト口